(57)【要約】【課題】  販売側の要請として、継続的な使用が好ましい商品の再購入を促す手段を商品販売容器に施すと共に、購入者側の要請として、秘匿性を持って商品が購入できるようにする商品販売容器を提供する。【解決手段】  複数の商品を収納して販売する商品販売容器１において、内部に商品収納空間16と対価収納空間14とを有する収納容器からなり、商品収納空間16は販売する商品を収納する空間で、対価収納空間14は前記商品収納空間に収納した全数の商品の販売価格又は割引価格に等しい対価物品を蓄積する空間である商品販売容器１である。【選択図】  図１
2005067659.tif 000002
【特許請求の範囲】
【請求項１】
複数の商品を収納して販売する商品販売容器において、内部に商品収納空間と対価収納空間とを有する収納容器からなり、商品収納空間は販売する商品を収納する空間で、対価収納空間は前記商品収納空間に収納した全数の商品の販売価格又は割引価格に等しい対価物品を収納する空間であることを特徴とする商品販売容器。
【請求項２】
商品収納空間は、商品を個々に収納する商品単位収納部を収納する商品の数だけ有し、対価収納空間は前記商品単位収納部と同数だけ対価単位収納部を有する請求項１記載の商品販売容器。
【請求項３】
商品収納空間は、対価収納空間を兼ねている請求項１記載の商品販売容器。
【請求項４】
商品収納空間は、商品を個々に収納する商品単位収納部を収納する商品の数だけ有し、対価収納空間は前記商品単位収納部と同位置に対価単位収納部を有する請求項３記載の商品販売容器。
【請求項５】
収納容器は、書籍又は雑誌を収納する書籍収納空間を設けてなる請求項１記載の商品販売容器。
【請求項６】
対価収納空間は、蓄積した対価物品の蓄積量を外部から視認する観察窓を設けてなる請求項１記載の物品収納容器。
【請求項７】
収納容器は、天面、地面、小口面、背面、表表紙面及び裏表紙面からなる外観本様の略直方体からなる請求項１記載の商品販売容器。
【発明の詳細な説明】
【技術分野】
【０００１】
本発明は、商品を収納して販売する商品販売容器に関する。
【背景技術】
【０００２】
通常、商品はそれぞれに合わせてデザインされた容器、箱又は袋(以下、商品販売容器)に収納して販売されている。こうした商品販売容器は、外面に商品の写真又は絵を表示し、その他注意事項を記載するほか、特許文献１に見られるように外観を工夫したり、特許文献２又は特許文献３に見られるように複数の商品を一体に収納できる。
【０００３】
【特許文献１】特開2000-128232号公報（２〜５頁、図５）
【特許文献２】特開2001-106223号公報（２〜３頁、図１）
【特許文献３】実用新案登録第3086435号公報（４〜７頁、図１）
【発明の開示】
【発明が解決しようとする課題】
【０００４】
商品がダイエット食品又は健康食品である場合、購入者が継続的にダイエット食品又は健康食品を使用することが好ましい。しかし、購入した商品が尽きた後に再購入を促す手段が商品販売容器になかった又は乏しかったため、購入者自身がダイエット食品又は健康食品を継続的に使用する意志を持たなければ、商品が再購入されることはなかった。ダイエット食品又は健康食品を再購入しないことは購入者側の問題であるが、商品の再購入は販売側の利益に繋がることから、商品販売容器になんらかの対策が施されることが望ましい。
【０００５】
また、商品毎に販売されている店舗又は売り場が決められており、購入者は前記店舗又は売り場に赴いて、希望する商品を探し出し、購入する。裏返せば、特定の店舗又は売り場へ赴く購入者は、具体的にどの商品を購入するかは分からないものの、特定種類の商品を購入することが第三者に分かってしまう。特に、商品が避妊具の場合、できるだけ第三者に気付かれずに避妊具を購入できることが好ましい。ところが、従来の商品販売容器は、こうした第三者に対する商品の秘匿性に無関心であり、なんら対策が施されていなかった。
【０００６】
そこで、販売側の要請として、継続的な使用が好ましい商品の再購入を促す手段を商品販売容器に施すと共に、購入者側の要請として、秘匿性を持って商品が購入できるようにする商品販売容器を開発するため、検討した。
【課題を解決するための手段】
【０００７】
検討の結果開発したものが、複数の商品を収納して販売する商品販売容器において、内部に商品収納空間と対価収納空間とを有する収納容器からなり、商品収納空間は販売する商品を収納する空間で、対価収納空間は前記商品収納空間に収納した全数の商品の販売価格又は割引価格に等しい対価物品を蓄積する空間である商品販売容器である。本発明は、複数の商品を販売する場合を対象とするが、例えば購入者が分割して少量ずつ使用できる商品(定量毎に使用する粉薬等)であれば、商品自体が１体であっても、本発明の商品販売容器に収納して販売し、本発明の作用及び効果を享受できる。
【０００８】
本発明の商品販売容器は、内部に商品収納空間と対価収納空間とを有し、前記対価収納空間に対価物品を購入者に蓄積してもらうことで、再購入を促す。ここで、対価物品は第一に硬貨又は紙幣を、第二に販売側が提供するサービス片(サービス券やサービスコイン等)を指す。対価物品が硬貨又は紙幣の場合、購入者が対価収納空間に一定量の硬貨又は紙幣を蓄積することで、商品を再購入する資金(再購入資金)を貯めることができる。また、対価物品がサービス片の場合、購入者が対価収納空間に一定量のサービス片を蓄積することで、商品を再購入する権利(再購入権＝サービス片と商品とを交換する権利)を取得させることができる。
【０００９】
具体的には、商品収納空間は商品を個々に収納する商品単位収納部を収納する商品の数だけ有し、対価収納空間は前記商品単位収納部と同数だけ対価単位収納部を有するとよい。すなわち、商品及び対価物品をそれぞれの総量の価値で一致させるのみならず、商品及び対価物品の数を一致させる。これは、商品個々の販売単価又は割引単価と対価物品個々の価値とを一致させることを意味する。
【００１０】
例えば、商品個々が100円の販売単価であれば100円の硬貨１枚が対応する。このとき、商品個々が120円の販売単価であるが、商品個々に対応して100円の硬貨１枚を対応させた場合、対価物品である硬貨は商品の割引単価に対応することになる。こうして、購入者は商品を使用する毎に対価物品を蓄積していくことで、再購入資金又は再購入権に相応する対価物品を蓄積していくことができる。
【００１１】
このように、対価物品は商品と交換に蓄積していくことから、商品収納空間と対価収納空間とは別に設けることを基本にするが、商品収納空間は対価収納空間を兼ねても構わない。この場合、商品収納空間は、商品を個々に収納する商品単位収納部を収納する商品の数だけ有し、対価収納空間は前記商品単位収納部と同位置に対価単位収納部を有するとよい。すなわち、個々の商品を各商品単位収納部から取り出した後、対価物品を前記商品単位収納部と同位置の対価単位収納部に蓄積していく。
【００１２】
これにより、商品の残数と対価物品の蓄積量とが販売時の商品の全数に常に一致し、また残る商品及び対価物品の合計の価値は全数の商品の販売価格又は割引価格に常に一致することになる。これから、商品がなくなった時点で、購入者は、再購入資金又は再購入権に相応する対価物品の数が蓄積されたことを一目で分かるようになる。
【００１３】
こうした本発明の商品販売容器では、商品の紹介事項、内容事項、使用事項、注意事項、関連事項のほか、対価収納空間の説明事項や使用事項を説明するため、収納容器の外面に前記各項目を記載したり、別途収納容器に書籍又は雑誌を収納する書籍収納空間を設けるとよい。
【００１４】
具体的な対価収納空間は、蓄積した対価物品の蓄積量を外部から視認する観察窓を設けると、購入者が蓄積した対価物品の蓄積量を容易に把握できて好ましい。この場合、観察窓に、蓄積した対価物品の蓄積量に応じた目盛りを設けておくと、対価物品の蓄積量の把握が容易になる。
【００１５】
また、対価収納空間は、蓄積した対価物品を蓄積順に並べて収納する空間として設けると、並べた対価物品の数を数えれば容易に蓄積量を把握できる。具体的には、対価収納空間は、対価物品とした硬貨の厚みよりわずかに厚い断面薄型の空間としたり、対価物品としたサービス片の厚みよりわずかに厚い断面薄型の空間にする。これにより、対価収納空間に投入した対価物品(硬貨又はサービス片)は互いに重なることなく、蓄積順に並ぶことになる。
【００１６】
ここで、収納容器は、天面、地面、小口面、背面、表表紙面及び裏表紙面からなる外観本様の略直方体からなる商品販売容器にするとよい。これにより、前記外観本様の商品販売容器は、商品により定められる店舗又は売り場のみならず、書店又は書籍売り場に並べて、違和感なく販売できる。また、外見的には書籍の購入にしか見えなくなるので、購入者は第三者に気付かれずに目的の商品を購入できるようになる。
【００１７】
この外観本様の商品販売容器の場合、収納容器の外面に、商品の紹介事項、内容事項、使用事項、注意事項、関連事項や、対価収納空間の説明事項、使用事項を記載すると、せっかくの本様の外観が損なわれる。このため、上述した書籍収納空間を収納容器に設け、この書籍収納空間に書籍又は雑誌を収納するとよい。これにより、収納容器の外観は、まさに本様にデザインできるようになり、商品価値を高めることができる。
【００１８】
また、外観本様の商品販売容器の対価収納空間に観察窓を設ける場合、観察窓が外部から視認できる位置にあると、やはり本様の外観を損ねてしまいかねない。この場合、対価収納空間を表表紙面又は裏表紙面内に設けるか、本の中身に設け、観察窓を表表紙面又は裏表紙面を開いた見返しに設けるとよい。これにより、購入者は表表紙面又は裏表紙面を開くことで、観察窓から対価収納空間に蓄積した対価物品の蓄積量を把握できる。
【発明の効果】
【００１９】
本発明により、販売側の要請として、継続的な使用が好ましい商品の再購入を促す手段を施し、また購入者側の要請として、秘匿性を持って商品が購入できる商品販売容器を提供する効果がある。販売側の要請は、商品収納空間に加えて別途対価収納空間を設けたことにより満たされる。本発明の対価収納空間は、対価物品の蓄積量を計算しなくても、再購入資金又は再購入権に相応する対価物品を蓄積できる。このため、対価収納空間を利用して再購入資金を蓄積するか否かは購入者に委ねられるものの、商品の再購入を促す契機を商品販売容器に与えることができる。
【００２０】
また、本様の外観を採用した本発明の商品販売容器は、商品毎に販売されている店舗又は売り場にこだわることなく、自由な店舗又は売り場を利用した商品の販売を可能にし、購入者側の要請を満たす。すなわち、商品と店舗又は売り場との相関が薄れるため、購入者がなにを購入したのかが第三者から分かりにくくなっており、秘匿性が向上している。特に、購入後の持ち運びの際には、もはや商品の種類を外見から判断することは難しい。
【００２１】
このほか、購入者は、対価物品を蓄積した商品販売容器を販売店に持参して新たな商品を購入することになるから、結果として使用済商品販売容器が回収できるようになる。これは、商品販売容器をゴミとして処分させないことを意味する。更に、商品販売容器を再利用する場合にも、再利用に先行する回収の手間が省けることになる。このように、本発明の商品販売容器は、販売側及び購入者側の異なる要請を満たす主たる効果に加え、商品販売容器の容易な回収を可能にする副次的効果を得ることができる。
【発明を実施するための最良の形態】
【００２２】
以下、本発明の実施形態について図を参照しながら説明する。図１は本発明を適用した本(新書判)様の外観を備えた商品販売容器１の一例を表す斜視図、図２は同商品販売容器１の正面図、図３は同商品販売容器１の平面図、図４は同商品販売容器１の左側面図、図５は表表紙面２を開いた状態の同商品販売容器１の平面図、図６は表表紙面２を開いた状態の同商品販売容器１の正面図、図７は内側から見た表表紙面２の立面図、図８は裏表紙面３を開いた状態の同商品販売容器１の背面図であり、図９は内側から見た裏表紙面３の立面図である。本例は、対価物品を100円硬貨４、商品をスティックタイプのダイエット食品５としている。
【００２３】
本例の商品販売容器１は、図１〜図４に見られるように、表表紙面２、裏表紙面３及び背面６内に、天面７、小口面８及び地面９を形成する前半体10及び後半体11からなる本の中身を備えた本様の外観である。販売する商品自体に法規制がない限り、本例の商品販売容器１に収納したダイエット食品５(図６参照)は、書店、コンビニエンスストア等で他の書籍と並べて販売できる。このため、購入者は書籍を購入するようにしか見えず、購入するダイエット食品５の秘匿性が守られている。
【００２４】
本例の商品販売容器１は本様の外観を備えているため、容器の取り扱いも本に似せることができる。まず、表表紙面２及び裏表紙面３は、それぞれ背面６と折れ目12,12を介して屈曲自在に連結しており、自由に開閉できる。前半体10及び後半体11は、表表紙面２及び裏表紙面３と背面６との前記折れ目12,12間に架設した可撓性面材からなる端布13に接合している。また、後半体11は裏表紙面３と一体になっている。これにより、前半体10は前記端布面13の可撓性に従って単独で開閉し、後半体11は裏表紙面３と一体となって前記端布面13の可撓性に従って開閉する。
【００２５】
表表紙面２、裏表紙面３及び背面６は、連続する樹脂一体成形板に薄肉とした折れ目12,12を形成し、表表紙面２、裏表紙面３及び背面６全体の外面に布地を被覆した構造である。本例の表表紙面２及び裏表紙面３は、それぞれ新書判相当の173×105mm又は前記版形に近い大きさである。ここで、本発明の商品販売容器の大きさは、販売する商品の大きさや数によって自由に決定できる。例えば、本の版形には前記新書判のほか、文庫版、四六版等もあり、また各版の大きさは一様に決まっていないことから、本例の本様の外観を備えた商品販売容器であっても大きさは自由に決定できる。
【００２６】
対価収納空間14は、図２に見られるように、表表紙面２の内部に形成した蛇行経路15からなる。また、商品収納空間16は、図３及び図４に見られるように、前半体10の前面側に形成した窪みからなる。このように、対価収納空間14及び商品収納空間16とはそれぞれ別になっている。更に、本例の商品販売容器１は、説明書を収納する書籍収納空間17を、前記前半体10の背面側と後半体11の前面側とに一対の関係で形成した窪みからなる。
【００２７】
対価収納空間14を構成する蛇行経路15は、図７に見られるように、表表紙面２を構成する樹脂一体成形板の内側に形成した蛇行溝18を、表表紙面２の内側に貼着した透明樹脂板19で塞ぐことにより、構成している。蛇行経路15に沿った透明樹脂板19が観察窓20である。本例は、観察窓20を表表紙面２の見返しに設けることで、表表紙面２を閉じた状態では外部から観察窓20が見えないようになっている。蛇行経路15の上端が100円硬貨４を投入する投入口21、下端が取出口22であり、取出口22は着脱自在な閉鎖片23で塞いでいる。
【００２８】
ここで、上記蛇行溝18の深さを対価物品である100円硬貨４の厚みより少し深くし、対価収納空間14を100円硬貨の厚みよりわずかに厚い断面薄型の空間にすることにより、投入口24から投入した100円硬貨４は取出口22から順に並んで蓄積されていく。蛇行溝18の深さは表表紙面２の厚みに略等しいので、本例の商品販売容器１は表表紙面２の厚みを100円硬貨４より少し厚くすることになる。
【００２９】
対価収納空間14は、表表紙面２と透明樹脂板19とに挟まれており、表表紙面２を開いて現れる見返しの観察窓20から内部に蓄積する100円硬貨４を視認できる。本例の観察窓20には、蛇行経路15に沿って並ぶ100円硬貨４の枚数を表示する目盛りとして、対価収納空間14に投入した100円硬貨４の数表記24(数字)を印字している。蓄積した100円硬貨４の数は、投入した100円硬貨４により背景の変わる前記数表記24の最後尾を見ることで容易に読み取ることができる。
【００３０】
また、本例では、100円硬貨４が７枚、12枚、19枚又は24枚蓄積された段階で、ダイエット食品５の再購入を喚起する注意文言25(図７中「１週間過ぎました」「折り返しです」「あと、もう少し！」「次の商品をどうぞ」)を透明樹脂板19又は表表紙面２の内側に印刷している。このように、本例の商品販売容器１は、100円硬貨４による再購入資金を蓄積させるのみならず、100円硬貨４の蓄積量を外部から視認させ、更に100円硬貨４の適当数量毎に注意文言25による再購入喚起を与えることで、ダイエット食品５の再購入をより強く促す。
【００３１】
商品収納空間16は、樹脂一体成形の中空体である前半体10の表側に上下２段に並べた窪みからなり、各窪みを商品単位収納部26としている。この商品収納空間16は、表表紙面２を蓋として閉じることができる。本例は、図６に見られるように、商品単位収納部26それぞれへダイエット食品５を個々に収納し、12個並べて収納する。表表紙面２は、図５及び図６に見られるように、表表紙面２の内側に設けた嵌合突起27と、前半体10の表側に設けた嵌合孔28とを嵌合させることで、商品収納空間16を閉蓋した状態から不意に開かないようにしている。
【００３２】
書籍収納空間17は、樹脂一体成形の中空体である前半体10の裏側と、同じく樹脂一体成形の中空体である後半体11の表側とに、それぞれ対に形成した窪みからなり、図８に見られるように、前半体10及び後半体11を相互に相手の蓋として開閉できる。本例は、図９に見られるように、商品販売容器１よりも少し小さな説明書29(「使用上の注意」)を書籍収納空間17に収納する。前半体10及び後半体11は、図８及び図９に見られるように、後半体11の表側に設けた嵌合突起30と、前半体10の裏面に設けた嵌合孔31とを嵌合させることで、書籍収納空間17が不意に開いて説明書29が落下しないようにしている。
【００３３】
図10〜図13は本例の商品販売容器１の利用手順を表しており、図10は３本目のダイエット食品５を商品単位収納部26から取り出す状態を表した図６相当正面図、図11は３本目のダイエット食品５に対応して３枚目の100円硬貨４を蓄積する状態を表した図７相当立面図、図12は24本のダイエット食品５に対応して24枚の100円硬貨４を蓄積し終わった状態を表した図７相当立面図であり、図13は24枚の100円硬貨４を新たな24本のダイエット食品５の再購入資金として取り出している状態を表した図７相当立面図である。
【００３４】
本例では、１日毎に１つのダイエット食品５を消費するものとして、図10に見られるようにダイエット食品５を各商品単位収納部26から１本取り出したら、図11に見られるように、このダイエット食品５に対応して１枚の100円硬貨４を投入口21から対価収納空間14に投入する。例示では、２本のダイエット食品５を既に消費しているので、取出口22から２枚の100円硬貨４が蓄積されている。３枚目の100円硬貨４は、対価収納空間14の蛇行経路15に沿って落ちていき、前記２枚の100円硬貨４の後ろに並んで蓄積される。
【００３５】
ここで、100円硬貨４(対価物品)の価値を、１本のダイエット食品５の販売価格又は割引価格に等しくしておけば、蓄積した３枚の100円硬貨４の合計価値は、３本のダイエット食品５の販売価格の合計、又は３本のダイエット食品５の割引価格の合計に等しくなる。例えば、ダイエット食品５の商品単価(１本のダイエット食品５の販売価格)が100円であれば、100円硬貨４を３枚蓄積すれば、ちょうど３本のダイエット食品５の販売価格に等しい300円を蓄積できる。また、商品単価が120円であれば、１枚の100円硬貨４毎に20円の割引がされていることになり、３本のダイエット食品５の割引価格に等しい300円を蓄積できる。
【００３６】
本例では対価物品として100円硬貨を用いているが、こうした硬貨は価値が固定されている(例えば120円硬貨はない)ため、商品の販売価格又は割引価格が１枚の硬貨の価値に一致しなければ、複数枚の硬貨を一度に蓄積しなければならなくなる場合が生ずる。こうした場合、対価物品として、別途販売又は提供するサービスコイン(サービス片)を用いるとよい。例えば、商品単価が160円、サービスコインの価値を160円とすれば、このサービスコインを３枚蓄積させれば、ちょうど３個の商品の販売価格に等しい480円を蓄積できる。また、前記と同価値(160円)のサービスコインを用いながら商品単価を180円とすれば、１個のサービスコイン毎に20円の割引がされていることになり、３個の商品の割引価格に等しい480円を蓄積できる。
【００３７】
こうして、全数のダイエット食品５を使用すれば、図12に見られるように、対価収納空間14には使用したダイエット食品５の数(24個)に等しい100円硬貨４が蓄積される。購入者は、対価収納空間14に24枚の100円硬貨を蓄積したまま販売店へ商品販売容器１を持参することにより、24本のダイエット食品５の販売価格又は割引価格(＝2,400円)で、新たな24本のダイエット食品５を再購入できる。販売店では、投入口21から逆に24枚の100円硬貨４を取り出すか、図13に見られるように、閉鎖片23に引出鉤32を差し込むことで対価収納空間14の取出口22を開放し、24枚の100円硬貨４を容易に取り出すことができる。
【００３８】
また、購入者が商品を再購入するには、結果として商品販売容器を販売店に持参することになり、商品販売容器の回収が容易になる副次的利便性がある。販売する商品によっては商品販売容器を再利用してもよいが、この場合でも、別途商品販売容器を回収しなくてもよいため、再利用に係る費用を低減できる。このように、本発明の商品販売容器は、ゴミの低減や省資源に適している。
【００３９】
図14〜図17は商品収納空間及び対価収納空間を兼ねた商品販売容器の例で、図14は同数の商品単位収納部40及び対価単位収納部41を同位置に設けた商品販売容器42の図６相当正面図、図15は同商品販売容器42の各商品単位収納部40及び対価単位収納部41の拡大斜視図、図16は商品単位収納部50に対して２種類の対価単位収納部51,52を設けた商品販売容器53の図６相当正面図であり、図17は同商品販売容器53の各商品単位収納部50及び対価単位収納部51,52の拡大斜視図(図17中種類文言62,63は図示略)である。
【００４０】
商品と対価物品との対応をより明確にするには、図14以下に見られるように、商品を個々に収納する商品単位収納部40と、対価物品を個々に収納する対価単位収納部41とを同数設けるとよい。例えば、商品が販売価格又は割引価格が100円である錠剤の健康食品43、対価物品が100円硬貨４である場合、図14及び図15に見られるように、健康食品43を１個宛に挟持して収納する商品単位収納部40を下段とし、100円硬貨４を嵌合して収納する対価単位収納部41を上段として、両収納部40,41を同位置に設ける商品収納空間44を構成できる。
【００４１】
商品単位収納部40は、左右一対の係合突起45,45により健康食品43を左右から挟持するだけであり、購入者は健康食品43を上下から摘んで容易に取り出すことができる。また、対価単位収納部41は、前記係合突起45,45を底面とし、100円硬貨４の外周に倣った円筒側面46からなる。本例では、100円硬貨４の取り出しを助けるため、前記円筒側面46を切り欠く取出凹部47を一体に成形している。こうした商品単位収納部40及び対価単位収納部41は、樹脂一体成形品である前半体10に対して、容易に形成できる。
【００４２】
また、商品が販売価格又は割引価格が150円である避妊具54、対価物品が２種類の100円硬貨４及び50円硬貨55である場合、図16及び図17に見られるように、避妊具54を１個宛に嵌合して収納する商品単位収納部50を上段とし、100円硬貨４及び50円硬貨55をそれぞれ個別に嵌合して収納する大小２種類の対価単位収納部51,52を下段とした商品収納空間56を構成できる。
【００４３】
商品単位収納部50は、略方形の避妊具54を嵌合できる略方形の窪みであり、一辺を切り欠く取出凹部57を設けることで、購入者は避妊具54を前記取出凹部57から摘んで容易に取り出すことができる。また、各対価単位収納部51,52は、100円硬貨４又は50円硬貨55毎に嵌合できる円筒側面58,59からなり、100円硬貨４及び50円硬貨55それぞれの取り出しを助けるため、前記円筒側面58,59を切り欠く取出凹部60,61を一体に成形している。
【００４４】
このほか、本例では、100円硬貨４又は50円硬貨55を嵌め込む円筒側面58,59はそれぞれ大きさが異なるが、購入者に対して各円筒側面58,59のいずれに100円硬貨４又は50円硬貨55を嵌め込むか明確にするため、各円筒側面58,59底面に100円硬貨４又は50円硬貨55の種類文言62,63(図16中「100円玉」「50円玉」)を印字している。
【００４５】
上記商品単位収納部及び対価単位収納部を一致させて設けた商品収納空間では、商品の取り出しと対価物品の蓄積とが視覚的に関連することを購入者に理解させ、購入者に連続した手順で実施させやすい。また、商品収納空間を見るだけで、商品の使用済み数と蓄積した対価物品の数とを把握できる。更に、商品と入れ替わりに対価物品を蓄積していくことから、商品単位収納部及び対価単位収納部の空白があれば、対価物品の蓄積を忘れていることが容易に把握できる利点がある。
【図面の簡単な説明】
【００４６】
【図１】本発明を適用した本(新書判)様の外観を備えた商品販売容器の一例を表す斜視図である。
【図２】同商品販売容器の正面図である。
【図３】同商品販売容器の平面図である。
【図４】同商品販売容器の左側面図である。
【図５】表表紙面を開いた状態の同商品販売容器の平面図である。
【図６】表表紙面を開いた状態の同商品販売容器の正面図である。
【図７】内側から見た表表紙面の立面図である。
【図８】裏表紙面を開いた状態の同商品販売容器の背面図である。
【図９】内側から見た裏表紙面の立面図である。
【図１０】３本目のダイエット食品を商品単位収納部から取り出す状態を表した図６相当正面図である。
【図１１】３本目のダイエット食品に対応して３枚目の100円硬貨を蓄積する状態を表した図７相当立面図である。
【図１２】24本のダイエット食品に対応して24枚の100円硬貨を蓄積し終わった状態を表した図７相当立面図である。
【図１３】24枚の100円硬貨を新たな24本のダイエット食品の再購入資金として取り出している状態を表した図７相当立面図である。
【図１４】同数の商品単位収納部及び対価単位収納部を同位置に設けた商品販売容器の図６相当正面図である。
【図１５】同商品販売容器の各商品単位収納部及び対価単位収納部の拡大斜視図である。
【図１６】商品単位収納部に対して２種類の対価単位収納部を設けた商品販売容器の図６相当正面図である。
【図１７】同商品販売容器の各商品単位収納部及び対価単位収納部の拡大斜視図である。
【符号の説明】
【００４７】
１  商品販売容器
２  表表紙面
３  裏表紙面
４  100円硬貨
５  ダイエット食品
６  背面
７  天面
８  小口面
９  地面
14  対価収納空間
16  商品収納空間
17  書籍収納空間
20  観察窓
21  投入口
22  取出口
【図１】
2005067659.tif 000003
【図２】
2005067659.tif 000004
【図３】
2005067659.tif 000005
【図４】
2005067659.tif 000006
【図５】
2005067659.tif 000007
【図６】
2005067659.tif 000008
【図７】
2005067659.tif 000009
【図８】
2005067659.tif 000010
【図９】
2005067659.tif 000011
【図１０】
2005067659.tif 000012
【図１１】
2005067659.tif 000013
【図１２】
2005067659.tif 000014
【図１３】
2005067659.tif 000015
【図１４】
2005067659.tif 000016
【図１５】
2005067659.tif 000017
【図１６】
2005067659.tif 000018
【図１７】
2005067659.tif 000019